(57)【要約】【課題】カーナビゲーション装置等の映像送信装置からディスプレイ装置に映像データを送信する際に、解像度や色データ数を低下させることなく、伝送路上で伝送される映像データのデータ幅を抑制する。【解決手段】映像送信装置４１が、各画素データを特定するための４／８／１６ビット幅の色番号コードを平衡型シリアル信号中に含ませてディスプレイ装置４５に送信する。ディスプレイ装置４５内の参照テーブル５５で、シリアルＬＶＤＳ信号中の色番号コードを参照キーとしてカラーパレットを参照し、この色番号コードを２４ビットのＲＧＢ８８８データに変換して液晶表示パネル５７に表示する。シリアルＬＶＤＳ信号のデータ幅を小さくできる。【選択図】        図１
2004236071.tif 000002
【特許請求の範囲】
【請求項１】
所定の映像データを所定の伝送路を通じて伝送し且つ表示する映像信号伝送表示システムであって、
映像データをシリアル信号として出力する映像送信装置と、
前記映像送信装置から前記伝送路を通じて与えられた前記シリアル信号に基づいて映像表示を行うディスプレイ装置と
を備え、
前記映像送信装置が、
前記シリアル信号が前記映像データの各画素データを特定するための色番号コードを含み、
前記ディスプレイ装置が、
前記伝送路を通じて前記映像送信装置から与えられた前記シリアル信号中の前記色番号コードを参照キーとして、予め保有したカラーパレットを参照して所定の色成分の画素データに変換する参照テーブルと、
前記参照テーブルで変換された前記色成分の前記画素データに基づいて映像を表示する映像表示手段と
を備える映像信号伝送表示システム。
【請求項２】
請求項１に記載の映像信号伝送表示システムであって、
前記映像送信装置が、
映像データの各画素データとして前記色番号コードを少なくとも出力するグラフィックス部と、
前記グラフィックス部からの色番号コードに基づいて前記シリアル信号を前記伝送路を通じて前記ディスプレイ装置に伝送するトランスミッタと
を備える映像信号伝送表示システム。
【請求項３】
請求項１または請求項２に記載の映像信号伝送表示システムであって、
前記色成分の前記画素データが、一色当たり８ビット幅または１６ビット幅の三色成分の画素データであって、
前記色番号コードが４ビット幅、８ビット幅または１６ビット幅のデータであって、
前記シリアル信号が平衡型シリアル信号である映像信号伝送表示システム。
【請求項４】
請求項３に記載の映像信号伝送表示システムであって、
前記映像送信装置が、前記シリアル信号中に、４ビット幅、８ビット幅または１６ビット幅の前記色番号コード以外に、他の信号を含ませて前記ディスプレイ装置に送信することを特徴とする映像信号伝送表示システム。
【請求項５】
請求項１ないし請求項４のいずれかに記載の映像信号伝送表示システムであって、
前記参照テーブルから前記映像表示手段に対して伝送される前記色成分の前記画素データがパラレル信号である映像信号伝送表示システム。
【請求項６】
請求項１ないし請求項５のいずれかに記載の映像信号伝送表示システムであって、
当該映像信号伝送表示システムが自動車に搭載される映像信号伝送表示システム。
【請求項７】
請求項６に記載の映像信号伝送表示システムであって、
前記映像送信装置がカーナビゲーション装置である映像信号伝送表示システム。
【請求項８】
所定の映像送信装置から伝送路を通じて与えられた映像データのシリアル信号に基づいて映像表示を行う表示装置であって、
前記シリアル信号が、映像データの各画素データを特定するための色番号コードを含み、
前記色番号コードを参照キーとして、予め保有したカラーパレットを参照して所定の色成分の画素データに変換する参照テーブルと、
前記参照テーブルで変換された前記色成分の前記画素データに基づいて映像を表示する映像表示手段と
を備える表示装置。
【請求項９】
請求項８に記載の表示装置であって、
前記色成分の前記画素データが、一色当たり８ビット幅または１６ビット幅の三色成分の画素データであって、
前記色番号コードが４ビット幅、８ビット幅または１６ビット幅のデータであって、
前記シリアル信号が平衡型シリアル信号である表示装置。
【発明の詳細な説明】
【０００１】
【発明の属する技術分野】
この発明は、自動車に搭載されて所定の映像データを所定の伝送路を通じて伝送し表示する映像信号伝送表示システム及び表示装置に関する。
【０００２】
【従来の技術】
従来、例えばカーナビゲーション装置の映像をデジタルで伝送するに際して、ディスプレイ装置とカーナビゲーション装置とが個別の電子制御ユニット（ＥＣＵ）として存在するとき、カーナビゲーション装置の映像をハーネス等によりアナログＲＧＢ形式の信号として伝送し、ＱＶＧＡ（Ｑｕａｒｔｅｒ  Ｖｉｄｅｏ  Ｇｒａｐｈｉｃｓ  Ａｒｒａｙ）やＥＧＡ（Ｅｎｈａｎｃｅｄ  Ｇｒａｐｈｉｃｓ  Ａｄａｐｔｅｒ）の解像度でディスプレイに表示を行ってきた。
【０００３】
図２は従来のアナログ表示方式の映像信号伝送表示システム（従来技術１）を示すブロック図である。この映像信号伝送表示システムでは、まずカーナビゲーション装置１側において、グラフィックス部３からＲＡＭ−ＤＡＣ５に対して、例えばＰＯ０〜ＰＯ７の８ビットの色番号コードを１画素毎に与え、この色番号コードに基づいて、ＲＡＭ−ＤＡＣ５内のカラーパレットを保有する参照テーブル（ＬＵＴ）７を参照し、前述の８ビットの色番号コードを、Ｒ（Ｒｅｄ：赤）／Ｇ（Ｇｒｅｅｎ：緑）／Ｂ（Ｂｌｕｅ：青）の各８ビット（計２４ビット）の三色成分のデジタルデータ（以下「ＲＧＢ８８８データ」と称す）に変換した後、ＤＡＣ９ａ〜９ｃによってそれぞれをアナログＲＧＢ信号（アナログＲ、アナログＧ、アナログＢ）に変換して、同期信号ＳＹＮＣとともにディスプレイ装置１１に入力していた。この他、最近では、各画素のＲＧＢ各色として１６ビット幅のものも適用されている。
【０００４】
あるいは、最近では、カーナビゲーション映像の高繊細化の要望が強まり、ワイドＶＧＡディスプレイに表示することが行われている。
【０００５】
ディスプレイの高繊細化を活かすためには、カーナビゲーション装置から映像データをデジタルデータとして伝送することが必要であり、このため、伝送路の物理層としては、パソコンで利用されているＴＭＤＳ方式やＬＶＤＳ方式等が考えられる。
【０００６】
ところで、例えば自動車に搭載される車載システムでは、ハーネスの省線化が重要であるが、ＴＭＤＳ方式やＬＶＤＳ方式の場合は、信号線の複線方式を採用しているため、省線化という点では好ましくない。
【０００７】
ここで、一般に、映像デジタル伝送の信号線（伝送路）として、平衡型シリアル信号用の電線、即ち、２本のシリアルの差動信号用電線を用いることがある。
【０００８】
図３はパーソナルコンピュータで使用されているＲＧＢ８８８データ伝送用の映像信号伝送表示システム（従来技術２）を例示したブロック図である。この映像信号伝送表示システムでは、まずパーソナルコンピュータ本体２１側において、グラフィックス部２３から参照テーブル（ＬＵＴ）２５にＰＯ０〜ＰＯ７の８ビット幅の色番号コードを画素毎に与え、参照テーブル２５のカラーパレットを参照して、三色成分の計２４ビットのデジタルデータであるＲＧＢ８８８データに変換する。このＲＧＢ８８８データはトランスミッタ２７に入力され、このトランスミッタ２７でシリアル化されて、ギガヘルツ近い差動信号としてディスプレイ装置２９に伝送される。ディスプレイ装置２９側では、レシーバ３１でシリアル・トゥ・パラレル変換及びデコードがなされた後、デジタルＲＧＢ信号（アナログＲ、アナログＧ、アナログＢ）として液晶表示パネル（ＬＣＤ）等に表示される。尚、この例ではＲＧＢ８８８データを例にあげて説明しているが、実際のパーソナルコンピュータでは、各画素のＲＧＢ各色として、１６ビット幅、２４ビット幅、３２ビット幅等のデータ伝送を行うものが多用されており、これらをソフトウェアプログラム（ドライバ及びファームウェア）により適宜選択的に切り替えるようになっている。
【０００９】
尚、本出願人は本件の関連技術について先行技術文献調査を行っていない。
【００１０】
【発明が解決しようとする課題】
上記した従来技術２（図３）のように、トランスミッタ２７が映像信号であるＲＧＢ８８８データの２４ビット固定データの伝送に特化してディスプレイ装置２９に伝送する場合、受信側であるディスプレイ装置２９で映像を支障なく再生するためには、受信側での信号のジッタ（信号の揺らぎ）及びスキュー（信号の位相のばらつき）などの影響を極力緩和し、且つトランジション（信号の極性反転）時間の低減を行う必要があり、そのために伝送路の周波数を高める必要がある。この場合、伝送路３７内でのシリアル信号の周波数は、２４ビット×ドットレート×ｋ（ただし、ｋはオーバーヘッド分を加味した係数）であり、その周波数は１ギガＨｚ近くとなる。
【００１１】
このように、トランスミッタ２７のデータ幅２４ビット固定の方式において、高い周波数の信号を伝送するにあたって、解像度や色データ数を低下させることなく映像の品質を確保するためには、伝送ハーネスやコネクタでの伝送損失を低く抑えなければならないことから、伝送ハーネスの材質などに低抵抗の高級なものを使用しなければならず、コストアップとなる。
【００１２】
そこで、伝送路における周波数を限定するため、伝送路における伝送の物理層において、シリアルＬＶＤＳ方式やシリアルギガビットイーサ方式等の、特にビット幅を限定しないような方式を物理層に適用することが考えられ、その一例として、シリアル差動伝送方式の通信を適用する方法が考えられる（特許出願２００２−３７６８８５：提案例）。このシリアル差動伝送方式（平衡型シリアル信号）は、複数のパラレルデータをシリアル化し、１チャンネルの伝送路で伝送を行う方式であって、映像データを一対のケーブルのみで伝送することが可能となるため、最低限の車両ハーネスでシステムを構成することができる。
【００１３】
この提案例におけるシリアルＬＶＤＳやシリアルギガビットイーサ方式は、伝送の物理層を定義することにより、映像に特化しておらず、１０〜２０ビット幅の信号を伝送路で伝送できるので、パラレルデータ幅が従来技術２のようにデータ幅が２４ビット固定の信号に比べて、信号の周波数を低く設定しても差し支えなくなる。即ち、ＮＴＳＣ信号はもともと８ビット幅または１６ビット幅のＹＵＶデータで表現できることから、この８ビット幅または１６ビット幅のＹＵＶデータであれば、映像データを１画素当たり２０ビット以下の信号で伝送することができる。このため、自動車の周辺の安全確認のために設置した周辺視認カメラからの映像データの伝送や、現行のビデオ映像を、シリアルＬＶＤＳ方式やギガビットイーサ方式等の信号方式で伝送することが可能で、伝送路の周波数も大幅に低減することができる。
【００１４】
ただし、カーナビゲーション装置のワイドＶＧＡの解像度の映像データを伝送するためには、１０〜２０ビットの信号ではビット幅が狭く、時分割で送信する等の処理が必要であり、結果的には伝送時の周波数を低く抑えることができない。
【００１５】
これらのことを考慮すると、解像度や色データ数を低下させることなく、映像データのデータ幅を抑制し、且つ周波数を抑制することが可能であれば、伝送ハーネスとして安価な普及タイプの製品を用いても、充分に映像品質を確保することが可能である。
【００１６】
そこで、この発明の課題は、カーナビゲーション装置等の映像送信装置からディスプレイ装置に映像データを送信する際に、解像度や色データ数を低下させることなく、伝送路上で伝送される映像データのデータ幅及び周波数を抑制し得る映像信号伝送表示システム及び表示装置を提供することにある。
【００１７】
【課題を解決するための手段】
上記課題を解決すべく、請求項１に記載の発明は、所定の映像データを所定の伝送路を通じて伝送し且つ表示する映像信号伝送表示システムであって、映像データをシリアル信号として出力する映像送信装置と、前記映像送信装置から前記伝送路を通じて与えられた前記シリアル信号に基づいて映像表示を行うディスプレイ装置とを備え、前記映像送信装置が、前記シリアル信号が前記映像データの各画素データを特定するための色番号コードを含み、前記ディスプレイ装置が、前記伝送路を通じて前記映像送信装置から与えられた前記シリアル信号中の前記色番号コードを参照キーとして、予め保有したカラーパレットを参照して所定の色成分の画素データに変換する参照テーブルと、前記参照テーブルで変換された前記色成分の前記画素データに基づいて映像を表示する映像表示手段とを備えるものである。
【００１８】
請求項２に記載の発明は、請求項１に記載の映像信号伝送表示システムであって、前記映像送信装置が、映像データの各画素データとして前記色番号コードを少なくとも出力するグラフィックス部と、前記グラフィックス部からの色番号コードに基づいて前記シリアル信号を前記伝送路を通じて前記ディスプレイ装置に伝送するトランスミッタとを備えるものである。
【００１９】
請求項３に記載の発明は、請求項１または請求項２に記載の映像信号伝送表示システムであって、前記色成分の前記画素データが、一色当たり８ビット幅または１６ビット幅の三色成分の画素データであって、前記色番号コードが４ビット幅、８ビット幅または１６ビット幅のデータであって、前記シリアル信号が平衡型シリアル信号である。
【００２０】
請求項４に記載の発明は、請求項３に記載の映像信号伝送表示システムであって、前記映像送信装置が、前記シリアル信号中に、４ビット幅、８ビット幅または１６ビット幅の前記色番号コード以外に、他の信号を含ませて前記ディスプレイ装置に送信するものである。
【００２１】
請求項５に記載の発明は、請求項１ないし請求項４のいずれかに記載の映像信号伝送表示システムであって、前記参照テーブルから前記映像表示手段に対して伝送される前記色成分の前記画素データがパラレル信号である。
【００２２】
請求項６に記載の発明は、請求項１ないし請求項５のいずれかに記載の映像信号伝送表示システムであって、当該映像信号伝送表示システムが自動車に搭載される。
【００２３】
請求項７に記載の発明は、請求項６に記載の映像信号伝送表示システムであって、前記映像送信装置がカーナビゲーション装置である。
【００２４】
請求項８に記載の発明は、所定の映像送信装置から伝送路を通じて与えられた映像データのシリアル信号に基づいて映像表示を行う表示装置であって、前記シリアル信号が、映像データの各画素データを特定するための色番号コードを含み、前記色番号コードを参照キーとして、予め保有したカラーパレットを参照して所定の色成分の画素データに変換する参照テーブルと、前記参照テーブルで変換された前記色成分の前記画素データに基づいて映像を表示する映像表示手段とを備える。
【００２５】
請求項９に記載の発明は、請求項８に記載の表示装置であって、前記色成分の前記画素データが、一色当たり８ビット幅または１６ビット幅の三色成分の画素データであって、前記色番号コードが４ビット幅、８ビット幅または１６ビット幅のデータであって、前記シリアル信号が平衡型シリアル信号である。
【００２６】
【発明の実施の形態】
この発明の一の実施の形態に係る映像信号伝送表示システムは、カーナビゲーション装置等の映像送信装置からディスプレイ装置（表示装置）に対して、地図情報や文字情報等の映像データを伝送する際に、従来技術１のアナログＲＧＢ信号を伝送するのではなく、データ幅の小さな色番号コード（ピクセルＩＤ）を伝送し、この色番号コードに基づいてディスプレイ装置側で参照テーブル（ＬＵＴ：ルック・アップ・テーブル）を用いて例えばＲＧＢ８８８データ等の色成分データに変換するようにしたものである。尚、この実施の形態では、色成分データとして計２４ビットのＲＧＢ８８８データを例にあげて説明しているが、ＲＧＢ各色それぞれ１６ビットのデータの場合に適用しても差し支えないことは勿論である。
【００２７】
図１はこの発明の一の実施の形態に係る映像信号伝送表示システムを示すブロック図である。この映像信号伝送表示システムは、図１の如く、映像送信装置（カーナビゲーション装置）４１と、この映像送信装置４１から与えられたシリアル信号中の色番号コードＰＯ０〜ＰＯ７に基づいて参照テーブル５５を参照して色の復元を行って映像表示を行うディスプレイ装置（表示装置）４５とを備える。
【００２８】
映像送信装置４１は、映像データを生成するグラフィックス部５１と、このグラフィックス部５１から与えられたカラーデータを平衡型シリアル信号であるシリアルＬＶＤＳ方式の信号に変換するシリアル差動信号トランスミッタ（トランスミッタ）５３とを備えるものである。
【００２９】
グラフィックス部５１は、生成された映像データを、８ビットの色番号コードＰＯ０〜ＰＯ７と、この色番号コードＰＯ０〜ＰＯ７の映像同期を規定するための同期信号ＳＹＮＣと、映像中の各画素のクロック周期を規定する画素クロック信号ＤＯＴＣＬＫとして、シリアル差動信号トランスミッタ５３に出力するものである。
【００３０】
シリアル差動信号トランスミッタ５３は、グラフィックス部５１から与えられた８ビットの色番号コードＰＯ０〜ＰＯ７、同期信号ＳＹＮＣ及び画素クロック信号ＤＯＴＣＬＫからなるパラレル信号をシリアライズし、伝送路のハーネスやコネクタの損失の影響により伝送ロスが発生しにくい（５００ＭＨｚ以下のシリアル信号として伝送路５９に出力する）ものである。そして、伝送路５９で通信されるシリアル信号は、上述のように、８ビットの色番号コードＰＯ０〜ＰＯ７と、１ビットの同期信号ＳＹＮＣと、１〜２ビットの画素クロック信号ＤＯＴＣＬＫと、同期信号、アトリビュート信号、音声信号及びＬＵＴ書換信号等の２ビット幅または２ビット幅前後の他の制御信号との合計１０〜２０ビットの信号に設定されている。
【００３１】
ディスプレイ装置４５は、伝送路５９から与えられたシリアル信号を受信してデシリアライズする差動伝送方式のレシーバ（シリアル信号受信手段）４３と、このレシーバ４３から与えられた色番号コードＰＯ０〜ＰＯ７をパラレル信号としてのＲＧＢ８８８データ（画素データ）に変換する参照テーブル（ＬＵＴ）５５と、液晶表示パネル（ＬＣＤ：映像表示手段）５７とを備えるものである。
【００３２】
レシーバ４３は、映像送信装置４１のシリアル差動信号トランスミッタ５３から伝送路５９を通じて与えられたシリアル信号をデシリアライズし、８ビットの色番号コードＰＯ０〜ＰＯ７と、同期信号ＳＹＮＣと、画素クロック信号ＤＯＴＣＬＫと、その他の制御信号とから構成されるパラレル信号を出力するものである。このうち、色番号コードＰＯ０〜ＰＯ７は参照テーブル５５に出力され、同期信号ＳＹＮＣ及び画素クロック信号ＤＯＴＣＬＫは直接液晶表示パネル５７に出力される。また、同期信号、アトリビュート信号、音声信号及びＬＵＴ書換信号等のその他の制御信号は、図示しないマイクロコンピュータチップ等に出力される。
【００３３】
参照テーブル５５は、８ビットの色番号コードＰＯ０〜ＰＯ７と２４ビット（Ｒ：８ビット＋Ｇ：８ビット＋Ｂ：８ビット）のＲＧＢ８８８データとを対応づけたカラーパレットを保有しており、レシーバ４３から与えられた色番号コードＰＯ０〜ＰＯ７を参照キーとして、これに対応するＲＧＢ８８８データを、ＲＧＢ三色成分別にポートを分けたパラレル信号として液晶表示パネル５７に出力するものである。そして、この参照テーブル５５は、種々の用途に応じて書き換え可能とされている。具体的に、カーナビゲーション装置としての映像送信装置４１からシリアル差動伝送方式の映像信号の垂直同期期間中またはディスプレイに黒画面を表示させる無効な映像期間中にに書き換えを行うことで、色データの書き換えや、外部からの画像ファイルの表示に対応できるようになっている。この場合、ディスプレイ装置４５側に予め解っている参照テーブル５５を複数持たせておき、これらを選択的に切り替えるようにする。この場合、映像送信装置４１からシリアル差動伝送方式の信号または個別の信号を与えることで、複数の参照テーブル５５のうちのいずれかを選択するようにすればよい。
【００３４】
上記構成の映像信号伝送表示システムの動作を説明する。
【００３５】
まず映像送信装置４１のグラフィックス部５１は、生成された映像データを、８ビットの色番号コードＰＯ０〜ＰＯ７と、この色番号コードＰＯ０〜ＰＯ７の映像同期を規定するための同期信号ＳＹＮＣと、映像中の各画素のクロック周期を規定する画素クロック信号ＤＯＴＣＬＫと、その他の制御信号として、シリアル差動信号トランスミッタ５３に出力する。
【００３６】
シリアル差動信号トランスミッタ５３は、グラフィックス部５１から与えられた８ビットの色番号コードＰＯ０〜ＰＯ７、同期信号ＳＹＮＣ、画素クロック信号ＤＯＴＣＬＫ及びその他の制御信号からなるパラレル信号をシリアライズし、５００ＭＨｚ以下のシリアル信号として伝送路５９に出力する。
【００３７】
ここで、伝送路５９で通信されるシリアル信号は、上述のように、８ビットの色番号コードＰＯ０〜ＰＯ７と、１〜２ビットの同期信号ＳＹＮＣと、１ビットの画素クロック信号ＤＯＴＣＬＫと、その他の制御信号の合計１０〜２０ビットの信号である。
【００３８】
ここで、最終的には２４ビットのＲＧＢ８８８データを８ビットの色番号コードＰＯ０〜ＰＯ７で表現できるのは、カーナビゲーション装置のように文字やアニメーションで映像を表現する場合、実写映像のように２４ビットのＲＧＢ８８８データの全ての色を使用する必要がなく、そのうちの限定された色数のみを使用しても、充分に映像表現を行うことが可能であるからである。ただし、例えば１６色（４ビット）の画素データに比べると、ＲＧＢ８８８データの場合は、原色だけでなく混合色のような美しい色表現が可能である。即ち、混合色のような微妙な色表現を行いながらも、実写映像のようなＲＧＢ８８８データの全ての色を使用する必要がないため、８ビットの色番号コードＰＯ０〜ＰＯ７で特定できる色を画素データとして選択するだけで、ディスプレイ装置４５で充分に美しい映像表現を行うことが可能である。
【００３９】
このように、映像送信装置４１から伝送路５９を通じてディスプレイ装置４５に与える信号として１０〜２０ビット幅の信号を適用しているので、データ幅が２４ビットの信号（従来技術２）に比べて、シリアル信号のデータ幅を低減することができ、しかも解像度や色データ数を低下させることがない。
【００４０】
また、シリアル信号の周波数についても、１画素につき８ビットのデータ量で済むため、ＶＧＡ程度の解像度であれば、上述のように３００ＭＨｚの周波数で充分である。即ち、１ギガＨｚ近い差動信号を送信していた従来技術２に比べて、伝送路５９における信号周波数を半分以下に軽減できる。したがって、安価な伝送ハーネスを使用しても、この従来技術２に比べて、ジッタ（信号の揺らぎ）及びスキュー（信号の位相のばらつき）などの影響があまりなく、またトランジション（画面転換）時間も低減する。
【００４１】
次に、ディスプレイ装置４５内のレシーバ４３は、映像送信装置４１のシリアル差動信号トランスミッタ５３から伝送路５９を通じてシリアル信号が与えられると、このシリアル信号をデシリアライズして、８ビットの色番号コードＰＯ０〜ＰＯ７を参照テーブル５５に出力するとともに、同期信号ＳＹＮＣ及び画素クロック信号ＤＯＴＣＬＫを液晶表示パネル５７に出力する。
【００４２】
８ビットの色番号コードＰＯ０〜ＰＯ７が与えられた参照テーブル５５は、この色番号コードＰＯ０〜ＰＯ７を参照キーとして、これに対応するＲＧＢ８８８データを、ＲＧＢ三色成分別にポートを分けたパラレル信号として液晶表示パネル５７に出力する。
【００４３】
このように、参照テーブル５５から液晶表示パネル５７に出力される信号がパラレル信号となっているので、シリアル信号に比べて信号周波数を比較的低く設定しても、充分な映像品質を確保できる。
【００４４】
しかも、ＲＧＢ８８８データ（画素データ）で映像を表現できるので、解像度や色データを落とすことなく、上記のように安価で且つ充分な映像品質を確保することができる。
【００４５】
尚、上記実施の形態では、８ビット幅の色番号コードＰＯ０〜ＰＯ７を適用していたが、４ビット幅、あるいは１６ビット幅の色番号コードを適用しても差し支えない。この場合であっても、色成分データよりも少ないデータ幅の信号を伝送路５９で伝送できることに変わりない。
【００４６】
また、上述した通り、上記実施の形態では、色成分データとして計２４ビットのＲＧＢ８８８データを例にあげて説明しているが、ＲＧＢ各色それぞれ１６ビットのデータの場合に適用しても差し支えないことは勿論である。
【００４７】
さらに、上記実施の形態では、平衡型シリアル信号としてシリアルＬＶＤＳ方式の信号を例示して説明したが、ギガビットイーサ方式の信号であっても差し支えない。
【００４８】
さらにまた、上記実施の形態では、自動車に搭載する例を説明したが、それ以外の画像表示の分野にも適用可能であることは言うまでもない。
【００４９】
【発明の効果】
請求項１、請求項２及び請求項８に記載の発明によれば、映像送信装置が、映像データの各画素データを特定するための色番号コードをシリアル信号中に含ませてディスプレイ装置に送信し、ディスプレイ装置において、シリアル信号中の色番号コードを参照キーとして参照テーブルのカラーパレットを参照し、色番号コードを所定の色成分の画素データに変換し、この参照テーブルで変換された所定の色成分の画素データに基づいて映像表示手段で映像を表示するので、映像送信装置から所定の色成分の画素データをそのままディスプレイ装置に送信する場合（従来技術１）に比べて、色番号コードのデータ幅を小さくすることが可能である。そして、このデータ幅の小さな色番号コードをシリアル信号として伝送しているので、ＲＧＢ８８８データ等の差動信号を伝送する場合（従来技術２）や、これをそのままシリアルＬＶＤＳ方式やシリアルギガビットイーサ方式等のシリアル差動伝送方式で伝送する場合（提案例）に比べて、シリアル信号の信号周波数を低く設定しても、解像度や色データ数を低下させることなく、ジッタ（信号の揺らぎ）及びスキュー（信号の位相のばらつき）などの影響を低減でき、またトランジション（画面転換）時間を低減することができる。
【００５０】
具体的には、請求項３及び請求項９のように、色成分の画素データが、一色当たり８ビット幅または１６ビット幅の三色成分といった計２４ビットの画素データを、４ビット幅、８ビット幅または１６ビット幅の色番号コードで表現することが可能であり、これを平衡型シリアル信号に充分に含ませることが可能である。
【００５１】
また、請求項４のように、４ビット幅、８ビット幅または１６ビット幅の色番号コード以外にその他のデータを追加して平衡型シリアル信号に含ませることが可能である。このため、例えば同期信号や２ビット幅または２ビット幅前後の他の制御信号といった少ないビット幅（例えば４ビット幅）以下の他の信号を色番号コード以外に平衡型シリアル信号内に含ませることが可能である。
【００５２】
この場合、具体的には請求項５のように、参照テーブルから映像表示手段に対して伝送される色成分の画素データをパラレル信号とすればよい。
【００５３】
これらは、請求項６のような省線化が望まれている自動車に搭載されると、特に有効であり、また、請求項７のように、カーナビゲーション装置の映像表示を行う場合に、カーナビゲーション装置の映像が地図や文字情報等であって、実写映像に比べて使用される色数が少ないことから、小さなビット幅の色番号コードを用いても、実使用上、充分に使用色の画素データを表現することが可能である。
【図面の簡単な説明】
【図１】この発明の一の実施の形態に係る映像信号伝送表示システムを示すブロック図である。
【図２】従来技術１の映像信号伝送表示システムを示すブロック図である。
【図３】従来技術２の映像信号伝送表示システムを示すブロック図である。
【符号の説明】
４１  映像送信装置
４３  レシーバ
４５  ディスプレイ装置
５１  グラフィックス部
５３  シリアル差動信号トランスミッタ
５５  参照テーブル
５７  液晶表示パネル
５７  直接液晶表示パネル
５９  伝送路
【図１】
2004236071.tif 000003
【図２】
2004236071.tif 000004
【図３】
2004236071.tif 000005